(57)【要約】【課題】入力された表示指示に基づいて、２つの表示部に表示される表示情報の表示態様を異ならせることを課題とする。【解決手段】表示情報を表示する主表示部と、副表示部と、主表示部に表示された表示情報の所望の領域と表示態様とを指定する表示指示を入力する入力部と、入力された表示指示から、指定領域に属する表示データと表示態様とを判定する表示指示判定部と、表示情報を主表示部および副表示部にそれぞれ表示させるための主表示データおよび副表示データを記憶した記憶部と、副表示データのうち指定領域に属する表示データが、判定された表示態様で副表示部に表示されるように、副表示データを変更し、かつ指定領域に属する表示データが識別することのできる表示態様で主表示部に表示されるように主表示データを加工する表示データ生成部とを備え、表示指示が入力された後、さらに所定の遅延時間が経過した後に、副表示データを副表示部に表示させること。【選択図】図６
2014032496.tif 000002
【特許請求の範囲】
【請求項１】
表示情報を表示する主表示部と、
前記主表示部と異なる位置に配置されかつ主表示部に表示された表示情報の一部または全部を表示する副表示部と、
前記主表示部に表示された表示情報の所望の領域と表示態様とを指定する表示指示を入力する入力部と、
前記入力された表示指示から、前記指定された領域に属する表示データと、その表示指示によって指定された表示態様とを判定する表示指示判定部と、
前記表示情報を前記主表示部に表示させるための主表示データと、前記表示情報を前記副表示部に表示させるための副表示データとを記憶した記憶部と、
前記副表示データのうち前記指定された領域に属する表示データが、前記判定された表示態様で、前記副表示部に表示されるように、前記副表示データを変更し、かつ前記表示指示によって指定された領域に属する表示データが、識別することのできる表示態様で、前記主表示部に表示されるように、前記主表示データを加工する表示データ生成部とを備え、前記入力部によって前記表示指示が入力された後、さらに所定の遅延時間が経過した後に、前記表示指示に基づいて変更された副表示データを前記副表示部に表示させることを特徴とする表示制御装置。
【請求項２】
前記入力部によって前記表示指示を入力するときに、前記遅延時間を設定入力させ、設定された遅延時間が経過するまでの残時間を前記主表示部に表示させることを特徴とする請求項１記載の表示制御装置。
【請求項３】
前記表示情報が、文字列を含むテキストデータであり、前記表示指示が、テキストデータのうち、所望の文字列を指定する操作によって入力されることを特徴とする請求項１または２に記載の表示制御装置。
【請求項４】
前記表示指示が入力された後、前記指定された文字列を下線を付加した態様で前記主表示部に表示させることを特徴とする請求項３に記載の表示制御装置。
【請求項５】
前記入力された表示指示は、前記指定された領域に属する表示データを、前記副表示部に表示させるかまたは非表示にするかを設定するための指示であることを特徴とする請求項１ないし４のいずれかに記載の表示制御装置。
【請求項６】
前記表示指示は、前記主表示部に表示された表示情報のうち所望の指定文字列をなぞることによって入力されることを特徴とする請求項１ないし５のいずれかに記載の表示制御装置。
【請求項７】
前記入力部によって、前記入力されていた表示指示を解除する入力がされた場合には、前記表示データ生成部は、前記表示情報が、前記主表示部と前記副表示部に前記表示指示が入力される前の表示態様で表示されるように、前記主表示データと副表示データとを変更することを特徴とする請求項１ないし６のいずれかに記載の表示制御装置。
【発明の詳細な説明】
【技術分野】
【０００１】
この発明は、表示制御装置に関し、特に、異なる２つの表示画面に、同一または異なる表示データを表示させることの可能な表示制御装置に関する。
【背景技術】
【０００２】
従来から、説明者と視聴者とが異なる表示装置を見ながらプレゼンテーションを行うことが行われている。たとえば、複数台の表示装置を接続し、説明者が利用する表示内容と同一の表示内容を、複数の視聴者それぞれが利用する表示装置に表示することにより、プレゼンテーションが行われている。
また、説明者と視聴者の表示装置に、同一あるいは異なるプレゼンテーション用データを表示させ、説明者用の表示データの切り替えに連動させて、視聴者用の表示データを切り替えるプレゼンテーション支援装置が提案されている（特許文献１，図１，図５，図８，図９参照）。
【０００３】
また、２つのディスプレイを備え、操作者のスイッチの押し下げ操作に応答して、操作者が見るディスプレイの操作者用の表示画面に表示されたデータと同一の表示データを対話者用の表示データとして格納し、次のスイッチ押し下げ操作がされるまで、対話者が見るディスプレイの対話者用の表示データを保持することにより、対話相手に表示する必要のある画面のみを選択して対話者が見るディスプレイに表示するようにした画面表示装置が提案されている（特許文献２，段落０００５，００１２〜００１５参照）。
【０００４】
さらに、特許文献３には、表示制御装置と子機とを通信回線を介して接続し、表示制御装置の表示装置に表示されたプレゼンページについて、子機に表示させないブラインド範囲を、ブラインド枠を用いて指定し、指定された範囲をブラインド処理（非表示）したプレゼンページの表示データを子機に送信して、ブラインド範囲は、表示制御装置のみに表示させ、子機には表示させないようにしたネットワーク型教育管理システムが提案されている（特許文献３、段落０１５５〜０１７３、図１１〜１３参照）。
【先行技術文献】
【特許文献】
【０００５】
【特許文献１】特開２００５−４９４７５号公報
【特許文献２】特開平９−３１９４６１号公報
【特許文献３】特開２００１−１００７１６号公報
【発明の概要】
【発明が解決しようとする課題】
【０００６】
説明者と視聴者の表示装置に同一の表示内容を表示させる場合は、表示内容を一種類だけ作成すればよいが、説明者だけが見る説明用の表示情報を表示させるためには説明者が利用する表示装置の表示画面を必要に応じて切り替えるか、あるいは、説明用の表示情報を表示する専用の表示装置を設ける必要があった。
【０００７】
また、説明者と視聴者の表示装置に異なる表示内容を表示させる場合には、特許文献１のように、異なる２種類のプレゼンテーション用データを関連付けて予め記憶しておく必要があり、それらのデータの作成に手間がかかっていた。
さらに、表示内容が異なる場合、説明者が視聴者の表示装置に表示されている表示内容を確認するためには、説明者が表示装置の表示画面を２分割して、説明者用と視聴者用の表示内容を同時に表示させるか、あるいは、２台の表示装置を利用して、説明者が、異なる表示装置に表示される説明者用の表示画面と視聴者用の表示画面とを見る必要があった。
【０００８】
また、特許文献２に記載のものでは、操作者用ディスプレイに表示させた表示画面の内容が対話者用ディスプレイに転送されて表示されるが、操作者は、操作者用ディスプレイに、転送させる表示画面の内容と同一の表示内容を表示させる操作をする必要があるので、操作者の操作負担が大きく、多数の表示内容を転送する場合には、その都度上記のような表示および転送操作を繰り返す必要があり、操作者は、対話者用ディスプレイに現在どの表示画面が表示されているのかを確認するのが困難である。
【０００９】
特許文献３に記載のものでは、ブラインド枠を表示させて、キーボードおよびマウス等を用いてブラインド範囲を指定し、また、子機への画面送信操作をしなければならないので、子機に表示をさせないブラインド範囲を指定するのが面倒であり、操作する手順が多くなるという問題点があった。
【００１０】
そこで、この発明は、以上のような事情を考慮してなされたものであり、説明者が容易な操作をすることにより、説明者と視聴者が見る表示画面にそれぞれ表示させる表示内容を同一とするかあるいは異ならせることができ、視聴者が見る表示画面に表示されている表示内容を説明者が容易に確認することができる表示制御装置を提供することを課題とする。
【課題を解決するための手段】
【００１１】
この発明は、表示情報を表示する主表示部と、前記主表示部と異なる位置に配置されかつ主表示部に表示された表示情報の一部または全部を表示する副表示部と、前記主表示部に表示された表示情報の所望の領域と表示態様とを指定する表示指示を入力する入力部と、前記入力された表示指示から、前記指定された領域に属する表示データと、その表示指示によって指定された表示態様とを判定する表示指示判定部と、前記表示情報を前記主表示部に表示させるための主表示データと、前記表示情報を前記副表示部に表示させるための副表示データとを記憶した記憶部と、前記副表示データのうち前記指定された領域に属する表示データが、前記判定された表示態様で、前記副表示部に表示されるように、前記副表示データを変更し、かつ前記表示指示によって指定された領域に属する表示データが、識別することのできる表示態様で、前記主表示部に表示されるように、前記主表示データを加工する表示データ生成部とを備え、前記入力部によって前記表示指示が入力された後、さらに所定の遅延時間が経過した後に、前記表示指示に基づいて変更された副表示データを前記副表示部に表示させることを特徴とする表示制御装置を提供するものである。
【００１２】
これによれば、表示指示を入力することにより、主表示部と副表示部の表示画面に表示させる表示内容を容易に異ならせることができ、指定された所望の領域に属する表示データを、所望のタイミングで副表示部に表示させることができ、より的確な説明が可能となる。また、主表示部を利用する説明者は、上記指定領域に属する表示データを識別することのできる表示態様で見ることができるので、副表示部に表示されている表示内容を容易に確認することができる。
【００１３】
また、前記入力部によって前記表示指示を入力するときに、前記遅延時間を設定入力させ、設定された遅延時間が経過するまでの残時間を前記主表示部に表示させることを特徴とする。
これによれば、遅延時間を設定するので、説明者は、自己の説明内容の量および説明速度に対応させて、視聴者が見る表示情報を表示させるタイミングを容易に調整できる。
【００１４】
また、前記表示情報が、文字列を含むテキストデータであり、前記表示指示が、テキストデータのうち、所望の文字列を指定する操作によって入力されることを特徴とする。
これによれば、テキストデータの中の所望の文字列を指定する操作をすることにより、表示あるいは非表示にしたい自己の意図する文字列をより確実に設定入力することができる。
【００１５】
また、前記表示指示が入力された後、前記指定された文字列を下線を付加した態様で前記主表示部に表示させることを特徴とする。
これによれば、指定した文字列が下線が付加された態様で主表示部に表示されるので、主表示部を利用する説明者は、副表示部に表示されている指定文字列を、より明確に認識することができる。
【００１６】
また、前記入力された表示指示は、前記指定された領域に属する表示データを、前記副表示部に表示させるかまたは非表示にするかを設定するための指示であることを特徴とする。
これによれば、表示指示を入力することにより、副表示部に表示させる指定領域に属する表示データを、表示させるかまたは非表示にさせるかを、容易に設定することができる。
【００１７】
また、前記表示指示は、前記主表示部に表示された表示情報のうち所望の指定文字列をなぞることによって入力されることを特徴とする。
【００１８】
また、前記入力部によって、前記入力されていた表示指示を解除する入力がされた場合には、前記表示データ生成部は、前記表示情報が、前記主表示部と前記副表示部に前記表示指示が入力される前の表示態様で表示されるように、前記主表示データと副表示データとを変更することを特徴とする。
これによれば、表示指示を解除する入力をすることにより、表示情報が、その表示指示が入力される前の表示態様で表示されるように、容易に戻すことができる。
【発明の効果】
【００１９】
この発明によれば、表示指示を入力することによって、指定された領域に属する表示データの副表示部および主表示部それぞれに表示する態様を変更しているので、説明者は、表示指示を入力する容易な入力操作をするだけで、自己が利用する主表示部の表示画面と、視聴者が利用する副表示部の表示画面に表示させる表示内容を異ならせることができ、また、主表示部に表示される上記指定領域に属する表示データを識別することのできる表示態様で見ることができるので、説明者は、副表示部に現在表示されている表示内容を容易に確認することができる。
【図面の簡単な説明】
【００２０】
【図１】この発明の表示制御装置の一実施例の構成ブロック図である。
【図２】この発明の記憶部に記憶される情報の一実施例の説明図である。
【図３】この発明の表示制御装置の主表示部に表示される表示画面の一実施例の説明図である。
【図４】この発明の情報制御装置の副表示部に表示される表示画面の一実施例の説明図である。
【図５】表示制御装置における主表示データの表示制御処理の一実施例のフローチャートである。
【図６】表示制御装置における副表示データの表示制御処理の一実施例のフローチャートである。
【図７】この発明の記憶部に記憶される情報の他の実施例の説明図である。
【図８】この発明の表示制御装置の主表示部に表示される表示画面の他の実施例の説明図である。
【図９】この発明の表示制御装置の副表示部に表示される表示画面の他の実施例の説明図である。
【図１０】この発明の表示制御装置の他の実施例における主表示データの表示制御処理の一実施例のフローチャートである。
【図１１】この発明の表示制御装置の他の実施例における副表示データの表示制御処理の一実施例のフローチャートである。
【発明を実施するための形態】
【００２１】
以下、図に示す実施例に基づいて、この発明を説明する。
なお、これによって、この発明が限定されるものではない。
【００２２】
＜この発明の表示制御装置の構成＞
図１に、この発明の表示制御装置の一実施例の構成ブロック図を示す。
図１に示す表示制御装置１は、主として、２つの表示装置（主表示部２０、副表示部２１）と、説明者が表示指示などを入力する入力装置（入力部３０）と、表示指示判定部４０と、表示データ生成部５０と、記憶部７０と、これらの各機能ブロックの動作を制御する制御部１０とを備える。
ここでは、一方の表示部（主表示部２０）は、主として、プレゼンテーションを行う説明者が利用し、他方の表示部（副表示部２１）は、たとえば説明者による講義や説明会等の場面でその説明者の話を聞く視聴者が見るものとする。
【００２３】
制御部１０は、主として、ＣＰＵ，ＲＯＭ，ＲＡＭ，Ｉ／Ｏコントローラ、タイマー等からなるマイクロコンピュータからなり、ＲＯＭ等に記憶されたプログラムに基づいて、ＣＰＵが各種ハードウェアを有機的に動作させることにより、この発明の表示制御機能を実現するものである。
【００２４】
主表示部２０は、説明者が見る表示情報を表示する部分であり、たとえば、ＬＣＤ，ＣＲＴ，ＰＤＰ，有機ＥＬディスプレイ等が用いられる。
この主表示部２０に表示される表示情報は、後述する主表示データ生成部５１によって生成され、主表示データ７６として記憶部７０に記憶されているデータである。
【００２５】
副表示部２１は、視聴者が見る表示情報を表示する部分であり、主表示部２０と異なる位置に配置され、主表示部２０に表示された表示情報の一部または全部が表示される。副表示部２１としては、ＬＣＤ、ＰＤＰ、有機ＥＬディスプレイ等を用いることができる。また、多数の視聴者に対して説明をする場面などでは、副表示部２１は、大画面のディスプレイを用いることが好ましい。副表示部２１は、１台に限るものではなく、２台以上備えてもよい。
【００２６】
さらに、説明者と説明を受ける視聴者が１対１で対面するような場合は、主および副表示部を一体成形し、表面に主表示部２０を配置し、その裏面に副表示部２１を配置した両面表示装置を用いてもよい。
また、副表示部２１として、独立した表示装置を利用し、ＬＡＮ等のネットワークを介して、表示制御装置と表示装置とを接続し、視聴者が見る表示情報を表示制御装置から表示装置（副表示部）に送信してもよい。
副表示部２１には、後述する副表示データ生成部５２によって生成され、かつ記憶部７０に記憶された副表示データ７７の表示内容が表示される。
【００２７】
入力部３０は、説明者が表示指示や、文字、図形、記号等の情報を入力する部分であり、たとえば、キーボード３１，マウス３２，タッチパネル３３，タッチパッド等が用いられる。
ここで、表示指示とは、主表示部２０の表示画面に表示された表示情報（コンテンツ）の所望の領域と表示態様（たとえば、表示あるいは非表示）とを指定するための入力を意味する。
【００２８】
表示情報が文字列を含むテキストデータである場合、表示指示は、そのテキストデータのうち、所望の文字列を指定する操作によって入力される。たとえば、主表示部２０の表示画面に表示された表示情報のうち所望の指定文字列をなぞるように指あるいはペンを用いて入力することが、表示指示に相当する。なぞられた文字列が、表示指示によって指定された領域に属する表示データである。
表示態様とは、主として、表示と非表示を意味し、この他に色の指定、書体の指定、下線、取り消し線、点滅指定、拡大・縮小指定、反転表示なども含まれる。
【００２９】
入力された表示指示は、指定領域に属する表示データを、副表示部２１に表示させるかまたは非表示にするかを指定するための指示である。
たとえば、図３（ａ）に示すように、文字列が表示された状態で、説明者が、主表示部２０の表示画面上の所望の指定領域である文字列を指でなぞったとする。このとき、表示指示が入力された後、図３（ｂ）に示すように、主表示部２０の表示画面では、なぞることにより指定された文字列が、下線を付加した態様で表示される。
【００３０】
主表示部２０の表示文字列に対してなぞる操作がされて表示指示が入力されると、この下線が引かれた指定領域に属する表示データと同一の表示データを、図４（ｂ）に示すように副表示部２１の表示画面に表示する。
また逆に、図３（ｂ）に示すように、主表示部２０の表示画面に下線が引かれた文字列が表示された状態で、その下線が付加された文字列を指でなぞった場合、図４（ａ）のように、その指定領域に属する表示データを、副表示部２１の表示画面では、非表示にする。
【００３１】
表示指示判定部４０は、入力部３０によって入力された表示指示の内容を判定する部分である。また、その判定結果に基づいて、表示指示情報７５を生成し、記憶部７０に記憶する。具体的には、入力された表示指示から、指定された領域に属する表示データと、その表示指示によって指定された表示態様とを判定する。
表示指示の判定は、記憶部７０に予め記憶された表示制御方式情報７４に基づいて行われる。ここでは、実際に入力された表示指示が、たとえば図２（ｂ）に示すような表示制御方式情報７４のうち、いずれに一致するかをチェックする。
【００３２】
たとえば、入力された表示指示が、図３（ｂ）に示したように、通常の表示文字列のうち所望の領域Ａの指定文字列をなぞったものであった場合、その表示指示は図２（ｂ）の表示制御方式情報７４のルールＲ１の指示内容に一致するので、表示制御として、領域Ａに属する表示データ（下線が引かれた文字列）を表示する表示指示が入力されたと判定する。
図３（ｂ）に示すような文字列を指でなぞる表示指示が入力された場合は、副表示部２１の表示画面には、図４（ｂ）に示すように、指でなぞられた領域Ａの文字列が表示される。
【００３３】
表示データ生成部５０は、表示制御装置１の主表示部２０と、副表示部２１に表示させる表示データを生成する部分である。
表示データ生成部５０は、主表示データ生成部５１と副表示データ生成部５２とからなる。
主表示データ生成部５１は、表示制御装置１の主表示部２０に表示させる主表示データ７６を生成する部分である。
副表示データ生成部５２は、表示制御装置１の副表示部２１に表示させる副表示データ７７を生成する部分である。
【００３４】
主表示データ７６と副表示データ７７とは、予め記憶部７０に記憶されている表示情報（コンテンツ）７３から表示すべき情報を抽出し、抽出した表示情報に対して、表示指示情報７５に対応する表示制御方式情報７４に基づいて、所定の変更を加えることにより生成される表示データである。
【００３５】
たとえば、表示指示が入力された場合、表示データ生成部５０の副表示データ生成部５２が、副表示データのうち表示指示によって指定された領域に属する表示データが、表示指示判定部４０によって判定された表示態様で、表示制御装置の副表示部２１に表示されるように、副表示データを変更する。
また、入力された表示指示によって指定された領域に属する表示データが、識別することのできる表示態様（たとえば、下線付き表示）で、表示制御装置の主表示部２０の表示されるように、主表示データを加工する。
また、表示指示判定部４０と表示データ生成部５０とは、主として、記憶部７０に記憶された制御プログラム（７１，７２）に基づいて、制御部１０によって実行される機能ブロックである。
【００３６】
記憶部７０は、この発明の表示制御装置１で利用される情報やプログラムを記憶する部分であり、ＲＯＭ，ＲＡＭ，フラッシュメモリのような半導体記憶素子、ＨＤＤ，ＳＳＤのような記憶装置、その他の記憶媒体が用いられる。
記憶部７０には、主として、主制御プログラム７１，副制御プログラム７２，表示情報（コンテンツ）７３，表示制御方式情報７４，表示指示情報７５，主表示データ７６，副表示データ７７が記憶されるが、この他にも、表示制御装置１の各種機能を実行するために必要な情報が記憶される。
【００３７】
主制御プログラム７１は、主として、入力された表示指示の判定処理や、表示制御装置１の主表示部２０に表示される表示データ（主表示データ７６）の生成、記憶および表示処理の手順を記述したプログラムである。
副制御プログラム７２は、主として、表示制御装置１の副表示部２１に表示される表示データ（副表示データ７７）の生成、記憶および表示処理の手順を記述したプログラムである。
【００３８】
表示情報７３は、２つの表示部（２０，２１）に表示させるために予め用意された情報（コンテンツ）であり、たとえば、プレゼンテーションで使用する文書、図面、画像等の情報である。
この表示情報７３そのものは、表示するデータでなく、表示情報７３を利用して生成された主表示データ７６および副表示データ７７が、表示部（２０、２１）に表示されるデータとなる。
【００３９】
図２（ａ）に、表示情報（コンテンツ）の一実施例の説明図を示す。
図２（ａ）は、「核エネルギー」に関する文字情報を示したものであるが、表示情報７３としては、このような文字情報に限るものではなく、図形、画像などであってもよい。
図２（ａ）の表示情報をそのまま主表示部２０に表示する場合は、たとえば、図３（ａ）に示すように表示される。
【００４０】
表示制御方式情報７４は、表示データの表示および非表示等の表示態様に関する情報であり、表示データをどのように表示するかを規定した情報である。
この情報７４は、表示制御装置１の設計時に予め設定されるものであるが、表示制御装置１の利用者が独自に設定変更できるようにしてもよい。
図２（ｂ）に、表示制御方式情報７４の一実施例の説明図を示す。
ここでは、２つの情報（Ｒ１、Ｒ２）を示しており、説明を容易にするために、各情報７４は、指示内容と表示制御とからなるものとする。ただし、情報７４の実際の記憶内容は、制御プログラム（７１、７２）が利用可能な形式（数値あるいは記号）で記憶される。
【００４１】
情報７４の指示内容は、利用者によって入力される表示指示を意味し、表示指示は、表示制御装置１を利用する説明者によって入力され、主表示部２０にその指示内容が表示される。
また、情報７４の表示制御は、表示制御装置１の主表示部２０に表示する主表示データ７６に対する表示制御ではなく、表示制御装置１の副表示部２１に表示する副表示データ７７に対する表示制御を意味するものとする。
【００４２】
図２（ｂ）の情報Ｒ１は、指示内容が「表示文字列の領域Ａを指定」であり、表示制御が「領域Ａの文字列を表示」である。この情報Ｒ１は入力部３０によって入力された表示指示が、主表示部２０に表示された表示情報のうち、指またはペンで所望の領域Ａをなぞったものであった場合、そのなぞられた領域Ａに属する情報（文字列）を副表示部２１に表示することを意味するものとする。
【００４３】
ここで、領域Ａに属する情報は、たとえば下線を付加した態様で主表示部２０に表示するものとする。これにより、下線が引かれた領域Ａに属する情報は、主表示部２０の表示画面に表示された他の表示情報と区別され、副表示部２１に表示されている情報であることがわかる。
たとえば、図３（ｂ）に示す表示情報では、下線が引かれている「原子力発電所は原子核エネルギーを」の部分が、領域Ａに属する情報（文字列）となり、説明者は、その下線を見ることにより、領域Ａの文字列が、副表示部２１を見ている視聴者にも見えていることを容易に確認できる。
【００４４】
また、上記したように、情報Ｒ１の表示制御の内容は、副表示データ７７に対応するものである。
したがって、Ｒ１に対応する表示指示が入力された場合、たとえば、図３（ｂ）のように下線が引かれた領域Ａに属する表示情報（文字列）は、副表示部２１に表示する場合は、図４（ｂ）に示すように、表示される。
【００４５】
同じ領域Ａに属する表示情報を表示制御装置１の主表示部２０に表示する場合は、下線を付加して表示しているが、これに限るものではなく、説明者が他の文字列と識別することのできる表示態様であればよい。
たとえば、領域Ａに属する表示情報が、副表示部２１にも表示されていることが説明者に明確にわかるようにするために、主表示部２０に、領域Ａに属する表示情報（文字列）を、他の情報と異なる色あるいは異なる書体に変更して表示してもよい。
【００４６】
また、図２（ｂ）の情報Ｒ２は、指示内容が「表示文字列の領域Ａを指定解除」であり、表示制御が「領域Ａの文字列を非表示」である。
この情報Ｒ２は、入力部３０によって入力された表示指示によって下線が引かれていた表示情報（文字列）の領域Ａの部分を、指またはペンでなぞった場合、そのなぞられた領域Ａの部分に表示されていた情報（文字列）を、副表示部２１では非表示にすること（指定を解除すること）を意味するものとする。
【００４７】
ここで、情報Ｒ２の指示内容に相当する表示指示が入力された場合、主表示部２０において、下線が引かれて表示されていた領域Ａの表示情報（文字列）は、下線が削除され、文字列だけの表示に戻る。たとえば、図３（ｂ）の表示状態から図３（ａ）の表示状態に変化する。
【００４８】
一方、この情報Ｒ２の指示内容に相当する表示指示が入力された場合、視聴者が見ている副表示部２１は、図４（ｂ）から図４（ａ）に示すような表示に変化する。すなわち、図４（ｂ）のように副表示部２１に表示されていた領域Ａに属する文字列が、非表示になる。
表示制御装置１を利用する説明者は、図３（ａ）の表示画面を見ることにより、副表示部２１を見ている視聴者は、領域Ａに属する文字列が非表示になったことを容易に確認することができる。
【００４９】
なお、表示制御方式情報７４として、図４（ｂ）に２つの具体例（Ｒ１，Ｒ２）を示したが、これに限るものではない。
これ以外にも、たとえば、下線を引く、色Cで塗りつぶすというような表示指示を予め定義しておいてもよい。
【００５０】
図１の記憶部７０において、表示指示情報７５は、入力部３０によって、利用者が入力した表示指示の内容を一時的に記憶したものである。
表示指示は、表示部２０に表示された表示情報の所望の領域に属する表示データと、表示態様を指定するものであり、たとえば、図３（ｂ）に示したように、表示制御装置１の利用者である説明者が表示画面を指やペンを用いてなぞることにより、所望の領域Ａを指定するものである。この指等でなぞった範囲の表示画面の位置と、表示画面に表示されている情報の位置とを分析することにより、表示指示情報７５が作成され記憶される。
【００５１】
表示指示情報７５は、たとえば、図２（ｃ），（ｄ），（ｅ）に示すような情報であり、主として、指定範囲、指定内容の情報から構成される。
ここで、指定範囲は、表示指示によって指定された所望の領域Ａを意味し、入力された領域Ａの表示画面に表示されている情報（文字列）の位置を示すものである。
【００５２】
主表示部２０に表示された情報が、図２（ａ）に示すような文字情報である場合は、行数と列数とによって、その領域Ａが指定される。具体的には、入力された指でなぞった位置と、表示画面に表示されている文章の位置関係から、領域Ａに属する文章の最初（左上）の文字の行数および列数と、最後（右下）の文字の行数および列数を求めて、その数値を範囲として記憶する。
たとえば、図２（ｄ）の場合は、領域Ａによって示された表示指示は、主表示部２０に表示されている文章の１行目第１列目の文字から、２行目第９列目の文字までの部分であることを意味する。
【００５３】
また、表示指示情報７５の指定内容は、副表示部２１に対しての表示あるいは非表示を指定するものである。
この発明の実施例では、たとえば、下線付きの文字列部分を指でなぞった表示指示を入力した場合は、その文字列部分を非表示にすることを意味するものとする。すなわち、指でなぞった領域Ａに属する下線付きの文字列は、副表示部２１に表示するときは、非表示とすることを意味する。
また、下線のない文字列部分を指でなぞった表示指示を入力した場合は、その文字列部分を表示することを意味するものとする。すなわち、指でなぞった領域Ａに属する下線のない文字列は、副表示部２１に表示するときは、下線のない文字列として表示する。また、主表示部２０においては、その下線のなかった文字列に、下線を付加して表示するものとする。
【００５４】
また、表示指示情報７５は、これに限るものではなく、表示態様を指定してもよい。たとえば、指でなぞられた領域Ａに属する文字列を、表示部（２０，２１）に表示するときの色の種類を指定してもよい。色の種類は、たとえば、利用者が表示指示を入力する前に予め設定しておけばよい。
また、色を指定しない場合は、表示指示の範囲外の文字と同一の色で表示すればよく、予め定めた標準色（たとえば黒色）で、表示すればよい。
ただし、標準色と異なる色を設定した場合は、その指定色で領域Ａに属する文章が表示部（２０，２１）に表示されるので、説明者も視聴者も、標準色で表示される他の部分と領域Ａの文章とを容易に区別することができる。
また、説明者は、指定色で表示された部分の文章を見ることにより、その文章と同一の文章を視聴者も見ていることを容易に確認することができる。
【００５５】
たとえば、図２（ｄ）に示す表示指示情報７５は、図３（ａ）の表示状態のときに、図３（ｂ）のように領域Ａの文字列をなぞったときに生成される情報である。図２（ｅ）に示す表示指示情報７５は、図３（ｂ）の表示状態のときに、下線付きの文字列を指でなぞったときに生成される情報である。
この表示指示情報７５は、表示指示判定部４０によって生成され、主表示データ生成部５１および副表示データ生成部５２が、それぞれ主表示データ７６および副表示データ７７を生成するときに利用される。
【００５６】
なお、表示指示は、キーボード３１，マウス３２，あるいはタッチパネル３３のいずれかを用いて入力してもよいが、図３（ｂ）に示すように利用者が表示画面上を指でなぞって入力する場合は、タッチパネル３３を用いるものとする。
【００５７】
記憶部７０の主表示データ７６は、主表示データ生成部５１によって生成されるデータであり、表示情報７３を表示制御装置１の主表示部２０に実際に表示させるための表示データを記憶したものである。
主表示データ７６は、表示情報７３を、主表示部２０の表示画面に表示されるような形式のデータに変換したデータであり、いわゆるビットマップデータとして記憶される。
表示指示が入力された場合、主表示部２０に、入力された表示指示の情報を、その表示指示によって指定された文字列の範囲に重ねて表示させる。ここで、入力された表示指示の情報とは、たとえば、指でなぞられた範囲の文字列に、下線を付加することを意味する。また、下線の他に、書体や色の変更、取り消し線の付加、点滅指定、拡大・縮小指定、反転表示をするようにしてもよい。
副表示データ７７は、副表示データ生成部５２によって生成されるデータであり、表示情報７３を副表示部２１に実際に表示させるための表示データを記憶したものであり、ビットマップデータである。
【００５８】
図３（ａ），（ｂ）に、表示制御装置１の主表示部２０に表示される表示画面の一実施例の説明図を示す。
図３（ａ）は、記憶部７０に記憶されている表示情報７３の一部分を、通常どおり表示した表示画面を示したものである。
図３（ｂ）は、図３（ａ）の表示状態において、説明者が表示指示を入力した場合の表示画面を示したものであり、指でなぞった部分の文字列に、下線を付加した表示状態を示している。
【００５９】
図３（ｂ）のような表示指示が入力された場合は、図２（ｄ）に示す表示指示情報７５が生成される。
また、図３（ｂ）のような表示指示が入力された後に、下線付きの文字列を、再度指でなぞるような表示指示が入力された場合、図２（ｅ）に示すような表示指示情報７５が生成され、この情報７５に基づいて、図３（ａ）のような表示に戻る。
すなわち、入力されていた表示指示を解除する入力がされた場合には、主表示部２０と副表示部２１に、表示指示が入力される前の表示態様で表示情報が表示されるように、表示データ生成部が、主表示データと副表示データとを変更する。
【００６０】
また、図４（ａ），（ｂ）に、副表示部２１に表示される表示画面の一実施例の説明図を示す。この副表示部２１に表示される情報は、副表示データ７７に基づいて表示される。ここで、１行目の「核エネルギー」と、２行目の矢印は固定表示される部分とする。
図４（ｂ）は、表示制御装置１において、説明者が図２（ｂ）のＲ１に相当する表示指示を入力した場合に、副表示部２１に表示される表示画面の一実施例を示したものである。表示制御装置１の主表示部２０に、図３（ｂ）の表示画面が表示されているときに、副表示部２１には、図４（ｂ）の表示画面が表示される。すなわち、副表示部１２０には、主表示部２０に下線付きで表示されている文字列と同じ文字列が表示される。
【００６１】
図４（ａ）は、表示制御装置１において、図３（ｂ）のように説明者が入力していた表示指示を解除（消去）した場合に、副表示部２１に表示される表示画面の一実施例を示したものである。
言いかえれば、表示制御装置１において、説明者が図２（ｂ）のＲ２に相当する表示指示を入力した場合に、副表示部２１に表示される表示画面を示したものである。
表示指示が解除されると、表示制御装置１の主表示部２０には、図３（ａ）のような表示画面が表示されるが、そのとき、図４（ａ）のように、副表示部２１には、表示指示が入力される前の表示態様で、表示されていた文字列が非表示となる。
【００６２】
また、副表示部２１に表示される副表示データ７７は、主表示データ７６を生成するもととなる同一の表示情報７３から生成され、この表示情報７３とは別に、副表示部２１に表示するための表示情報を予め作成しておく必要はない。
すなわち、２つの表示部（２０，２１）に表示させる表示情報を別々に予め作成する必要はないので、主および副の表示データのもととなる表示情報を容易に作成することができ、表示制御装置１において、説明者が図２（ｂ）に示すような表示指示を入力するだけで、容易に、説明者が意図する副表示データ７７を生成することができる。
また、表示指示する範囲を説明者が意図する部分に変更することにより、たとえば、指でなぞる部分を変更するだけで副表示部２１に表示する部分と表示しない部分とを、その都度容易に変更することができる。
【００６３】
＜主制御プログラムによる主表示データの表示制御＞
図５に、表示制御装置における主表示データの表示制御処理の一実施例のフローチャートを示す。このフローチャートは、主制御プログラム７１によって実行されるものである。
図５において、表示制御装置１において入力される表示指示に基づいて、指示文字列を、下線付きあるいは下線なしで主表示部２０に表示させる。
【００６４】
図５のステップＳ１において、制御部１０が、記憶部７０から、主表示部２０に表示すべき表示情報（コンテンツ）７３を取得し、主表示データ生成部５１によって主表示データ７６を生成させ、主表示データ７６を主表示部２０に表示させる。
このとき、たとえば、図３（ａ）と同様の表示が行われる。
【００６５】
ステップＳ２において、制御部１０は、入力部３０によって、表示指示を意味する入力があるか否かをチェックする。たとえば、タッチパネル３３を使用して、指によって、所望の文字列を指示する入力がされたか否かをチェックする。
説明者は、表示部２０の表示画面の表示内容を見て、副表示部２１に表示させたい文字列部分を選択的になぞるような入力をすることによって、表示指示を入力する。
表示指示の入力がない場合は、ステップＳ１へ戻る。あるいはステップＳ２をループする。上記のような表示指示の入力があった場合は、ステップＳ３へ進む。
【００６６】
ステップＳ３において、表示指示判定部４０が、入力された表示指示を分析する。ここでは、入力された表示指示の位置を特定する入力位置座標を取得する。
ステップＳ４において、表示内容が文字列の場合、入力された位置座標に表示されている文字列の領域Ａを特定する。
また、表示制御方式情報７４を参照して、入力された表示指示が、予め設定されている情報７４のうち、どの情報に対応するものかを判定する。
領域Ａに属する表示文字列が下線付きでない場合は、入力された表示指示の「表示制御」は、文字列の表示を指示するものと判定する。すなわち、入力された表示指示は情報７４のＲ１に対応すると判定する。
【００６７】
さらに、ステップＳ４において、表示指示判定部４０が、上記の分析結果から、指示文字列を取得し、入力された表示指示に対応する表示指示情報７５を生成し、記憶部７０に記憶する。
たとえば、図３（ｂ）に示すように、「原子力発電所は原子核の核エネルギーを」の文字列部分をなぞる表示指示が入力された場合は、図２（ｄ）に示すような表示指示情報７５が、記憶部７０に記憶される。ここで、最初の「原」が１行目１列にあり、最後の「を」が２行目９列にあるものとしている。
【００６８】
ステップＳ５において、制御部１０が、表示指示の入力が終了したか否かを、チェックする。表示指示の入力が終了したか否かは、たとえば、押し続けていたマウスボタンを離すことにより判断することができる。
表示指示の入力が終了した場合は、ステップＳ６へ進み、そうでない場合は、ステップＳ３へ戻る。
ステップＳ６において、入力された指示文字列のなぞられる前の表示形態が下線付き表示であったか否かをチェックする。指示文字列が下線付きで表示されていた場合は、ステップＳ７へ進み、下線付き表示でなかった場合は、ステップＳ８へ進む。
【００６９】
ステップＳ７において、指示文字列を下線のない表示に変更する。すなわち、記憶部７０の主表示データ７６に、入力された指示文字列を下線なしの表示データに変更して記憶し、主表示部２０に表示する。
このとき、たとえば、図３（ａ）に示すように、下線のない文字列が表示される。その後、ステップＳ２へ戻る。
【００７０】
ステップＳ８において、指示文字列を下線付きの表示に変更する。すなわち、記憶部７０の主表示データ７６に、入力された指示文字列を下線付きの表示データに変更して記憶し、主表示部２０に表示する。
このとき、たとえば、図３（ｂ）に示すように、下線付きの文字列が表示される。その後、ステップＳ２へ戻る。
【００７１】
＜副制御プログラムによる副表示データの表示制御＞
図６に、表示制御装置における副表示データの表示制御処理の一実施例のフローチャートを示す。
ここでは、副表示データ７７は、表示制御装置１の副表示部２１に表示する。
このフローチャートは、副制御プログラム７２によって実行されるものである。
【００７２】
ステップＳ３１において、制御部１０が、新しい表示指示の入力があったか否かをチェックする。
ここで、表示指示情報７５は、表示指示があるごとに上書きするのではなく、履歴を記憶し、前回の表示指示情報７５も残すようにする。
そこで、新しい表示指示の入力があったか否かは、前回の表示指示情報７５と今回入力された表示指示に対する表示指示情報７５とが異なるか否かをチェックすればよい。
初めて入力があった場合、あるいは前回の表示指示と異なる表示指示の入力があった場合は、ステップＳ３２へ進む。
また、入力がない場合、あるいは入力があったとしても前回と同じ表示指示であって変化がない場合は、ステップＳ３１をループする。
【００７３】
ステップＳ３２において、副表示データ生成部５２が、主表示部２０に表示されている表示情報（コンテンツ）７３を、先頭から順に一文字ずつ取得し、その文字の表示位置の情報（座標値）も取得する。
ステップＳ３３において、表示されている表示情報のすべての文字について、以下のステップによる表示方法のチェックを終了したか否かをチェックする。
すべての文字のチェックを終了した場合は、ステップＳ３４へ進み、そうでない場合は、ステップＳ３５へ進む。
【００７４】
ステップＳ３５において、現在注目している文字の表示位置が、新しい表示指示に対する表示指示情報７５によって示された表示指示の範囲内に属するか否かをチェックする。
表示指示の範囲内にあればステップＳ３６へ進み、そうでない場合はステップＳ３７へ進む。
【００７５】
ステップＳ３６において、現在注目している文字が、副表示部２１に現在表示中か否かをチェックする。現在表示中であった場合はステップＳ３７へ進み、そうでない場合はステップＳ３８へ進む。
ステップＳ３７において、副表示データ生成部５２が、記憶部の副表示データ７７として、現在注目している文字の表示位置に、その文字を表示する代わりに、スペースを示す文字情報を設定し記憶する（文字非表示設定）。
これにより、その文字は、副表示部２１には表示されないことになる。すなわち、スペースは非表示を意味する情報である。
その後、次の文字について、同様の処理を繰り返すために、ステップＳ３２へ戻る。
【００７６】
ステップＳ３６において注目文字が現在非表示であった場合は、ステップＳ３８において、副表示データ生成部５２が、記憶部の副表示データ７７として、現在注目している文字の表示位置に、その文字を通常どおり表示するために、そのままの文字情報を設定し記憶する（文字表示設定）。
その後、次の文字について、同様の処理を繰り返すために、ステップＳ３２へ戻る。
【００７７】
ステップＳ３４において、すべての表示文字についての副表示データ７７の設定記憶が終了したので、記憶部の副表示データ７７に記憶された表示データを、副表示部２１に表示させる。その後、ステップＳ３１へ戻る。
たとえば、図３（ｂ）のように表示指示が入力され、主表示部２０に下線付き文字列が表示された場合は、その表示指示で指定された領域に属する文字を表示させる副表示データ７７が生成されるので、副表示部２１には、図４（ｂ）に示すような表示が行われる。
【００７８】
＜この発明の表示制御装置の他の実施例＞
以下に、この発明の表示制御装置の他の実施例の表示制御について説明する。
ここでは、入力部３０によって表示指示が入力された後、さらに、所定の遅延時間Ｔが経過した後に、その表示指示に基づいて変更された副表示データを、副表示部２１に表示させるようにする。
所定の遅延時間Ｔは、予め固定的に設定してもよいが、表示指示を入力するときに、説明者に、自己の希望する遅延時間Ｔを設定入力させるようにしてもよい。
また、設定された遅延時間Ｔが経過するまでの残時間（後述するカウント残時間Ｔｃ）を、主表示部２０に表示させる。
このように、遅延時間Ｔを設定することにより、副表示部２１に表示させようとする表示情報の副表示部への表示を説明者が意図した時間だけ遅らせることができるので、自己の説明内容の量および説明速度に対応させて、視聴者が見る表示情報を表示させるタイミングを、容易に調整できる。
【００７９】
図７に、この発明の他の実施例で用いる表示情報等の説明図を示す。
図７（ａ）は、表示情報（コンテンツ）７３の例であり、図２（ａ）に示したものと同一である。
図７（ｂ）は、表示制御方式情報７４の例を示したものであり、情報Ｒ３の指示内容と表示制御を示している。
情報Ｒ３の指示内容は、「表示文字列の領域Ａを指定」と、「遅延時間を指定」であり、表示指示として、文字列の領域を指定することと、遅延時間Ｔを設定する入力が行われることを意味する。
情報Ｒ３の表示制御は、「遅延時間Ｔ経過後に、領域Ａの文字列を表示」であり、表示指示として情報Ｒ３の指示内容に相当する入力が行われた後、さらに設定された遅延時間Ｔが経過した後に、副表示部２１に、領域Ａの文字列を表示させることを意味する。
【００８０】
図７（ｃ）から（ｈ）は、この他の実施例において、表示指示情報７５の内容の変化の例を示したものである。
ここで、表示指示情報７５としては、図２の情報７５に示した「指定範囲」と「指定内容」に加えて、遅延時間Ｔと、カウント残時間Ｔｃとを含むものとする。
遅延時間Ｔは、後述するように、主表示部２０に表示された時間入力枠の中に設定された時間を意味する。
また、カウント残時間Ｔｃは、設定された遅延時間Ｔの経過をカウントする場合に、タイムアウトするまでの残りの時間を記憶したものである。
図７（ｃ）〜（ｈ）は、それぞれ後述する図８に示した主表示部２０の表示画面（ａ）〜（ｆ）に対応するものである。
【００８１】
図８（ａ）〜（ｆ）に、この発明の他の実施例における主表示部２０の表示画面の変化の一実施例を示す。
図９（ａ）〜（ｆ）に、図８（ａ）〜（ｆ）にそれぞれ対応する副表示部２１の表示画面の変化の一実施例を示す。
図８（ａ）において、図７（ａ）に示した表示情報７３が、主表示部２０に表示された状態を示している。
このとき副表示部２１には、図９（ａ）に示すような表示がされていたとする。すなわち、「核エネルギー」と矢印のみが表示され、３行目以下は表示されていないとする。
また、この表示状態において、まだ表示指示がされていない場合、表示指示情報７５は、図７（ｃ）のような初期状態であるとする。
【００８２】
次に、説明者が、図８（ａ）の主表示部２０の表示画面を見ながら、表示指示の入力を開始したとする。たとえば、図８（ｂ）に示すように、「原子力……得ています。」の表示文字列を指でなぞったとする。このとき、表示指示としては指でなぞった部分の文字列の範囲が、指定範囲として設定される。
すなわち、図７（ｄ）に示すように、表示指示情報７５の「指定範囲」として、「１行目１列から６行目９列」が設定される。
このような表示指示が入力される前の表示状態（図８（ａ））では下線付き文字がないので、図７（ｄ）の表示指示の「指定内容」は、「表示設定」に設定される。
また、図８（ｂ）では、指でなぞられた領域の文字列に下線が付加されて、他の文字列と区別されて表示される。さらに、後に遅延時間を入力するための時間入力枠も表示している。
この場合、遅延時間がまだ入力されておらず表示指示が完了していないので、副表示部２１の表示は、図９（ｂ）に示すように、図９（ａ）と同様の表示のままである。
【００８３】
さらに、説明者が表示指示を続けて行い、図８（ａ）の最下行までの文字列がなぞられ、文字列の指定入力が終了したとする。
図８（ｃ）に、文字列の指定入力が終了した表示状態を示している。
このとき、表示指示情報７５は図７（ｅ）に示すように、「指定範囲」が、１行目１列から１１行目９列となる。「指定内容」は、図７（ｄ）と同様に、表示設定のままである。
また、図９（ｃ）に示すように、まだ遅延時間が入力されていないので、副表示部２１の表示画面には、変化はなく、図９（ｂ）と同様である。
【００８４】
次に、図８（ｄ）に示すように、時間入力枠に、説明者が遅延時間Ｔを入力したとする。たとえば、遅延時間Ｔとして１０（秒）を入力したとする。
このとき、図８（ｄ）に示すように、時間入力枠の中に、設定した遅延時間Ｔ（＝１０）が表示される。
また、図７（ｆ）に示すように、遅延時間Ｔの入力が終了したとき、表示指示情報７５の遅延時間Ｔと、カウント残時間Ｔｃに、入力した時間（＝１０）が記憶される。そして、遅延時間Ｔのカウントを開始させる。
ただし、遅延時間が入力されたが、まだその遅延時間Ｔが経過していないので、副表示部２１は、図９（ｄ）に示すように、図９（ｃ）と同じ表示のままである。
【００８５】
この後、遅延時間Ｔのカウントが進んでいくに従って、カウント残時間Ｔｃが減少する。このとき、たとえば図８（ｅ）に示すように、時間入力枠に、カウント残時間Ｔｃが表示される。図８（ｅ）では、残時間が５秒であることを示している。
このとき、遅延時間Ｔを設定した後５秒が経過したので、図７（ｇ）に示すように、表示指示情報７５のカウント残時間Ｔｃは５秒となる。
この状態でも、まだ、遅延時間Ｔが経過していないので、副表示部２１は、図９（ｅ）に示すように、図９（ｄ）と同一表示のままである。
【００８６】
図８（ｆ）は、設定入力した遅延時間Ｔ（＝１０秒）が、経過してしまった表示状態を示している。このとき、カウント残時間Ｔｃがゼロとなったので、時間入力枠を消去している。
図８（ｆ）では、説明者が表示指示によって指定した文字列の部分が、下線付きで表示されている。
また、図７（ｈ）に示すように、遅延時間入力後、その遅延時間Ｔ（＝１０秒）が経過した場合、カウント残時間Ｔｃがゼロとなる。
したがって、遅延時間Ｔが経過したので、図９（ｆ）に示すように、副表示部２１に、表示指示によって指定された文字列（指定範囲＝１行目１列〜１１行目９列）が表示される。
これにより、説明者が、主表示部２０において指示した文字列が、設定した遅延時間Ｔ（＝１０秒）を経過した後に、副表示部２１に表示される。
【００８７】
図１０に、この発明の他の実施例における主表示データの表示制御処理の一実施例のフローチャートを示す。このフローチャートは、主制御プログラム７１によって実行される。
【００８８】
ステップＳ５１において、ステップＳ１と同様に、表示情報７３を取得し、主表示データ生成部５１によって主表示データ７６を生成させ、その主表示データ７６を主表示部２０に表示させる。
【００８９】
ステップＳ５２において、ステップＳ２と同様に、制御部１０が、入力部３０によって、表示指示を意味する入力（文字列指示）があるか否かをチェックする。
上記したように、説明者が所望の表示文字列部分をなぞる入力をすることにより、表示指示を入力する。
表示指示の入力があった場合はステップＳ５３へ進み、入力がない場合はステップＳ５１へ戻る。
【００９０】
ステップＳ５３において、ステップＳ３と同様に、入力された表示指示を分析し、表示指示の位置（文字列の位置）を特定する入力位置座標を取得する。
ステップＳ５４において、取得された入力位置座標から、そこに表示されている文字列の領域Ａを特定し、指示文字列を取得する。
また、取得した指示文字列に下線を付加して、主表示部２０に表示する。
これにより、説明者がなぞることによって指定した文字列が、他の文字列と区別して表示される。
たとえば、図８（ｂ）のように表示される。
【００９１】
ステップＳ５５において、主表示部２０に、時間入力枠を表示させる。
時間入力枠は、たとえば、図８（ｂ）に示すように、主表示部２０の表示画面上の任意の位置に表示すればよく、その位置は固定されなくてもよい。
また、時間入力枠の大きさは特に限定するものではなく、説明者が、その枠内に表示される数字を確認できる程度の大きさでよい。
【００９２】
ステップＳ５６において、時間入力枠に、遅延時間が入力されたか否かをチェックする。
説明者は、キーボード等を用いて遅延時間Ｔに相当する数値を直接入力するか、あるいは、タッチパネルに表示される数値を選択入力してもよい。
遅延時間Ｔが入力された場合は、ステップＳ５７へ進み、そうでない場合はステップＳ５１へ戻る。
【００９３】
ステップＳ５７において、入力された時間（数値）を、遅延時間Ｔとして記憶部７０に記憶する。カウント残時間Ｔｃに、遅延時間Ｔの数値を設定する。また、遅延時間Ｔを、主表示部２０の時間入力枠の中に表示する。たとえば、図８（ｄ）のような表示が行われる。
ステップＳ５８において、１秒タイマーを起動させる。タイマーは、１秒でなくてもよく、基準となる時間をカウントするものであればよい。
ステップＳ５９において、１秒タイマーがタイムアウトしたか否かをチェックする。タイムアウトしていない場合は、ステップＳ５９をループし、タイムアウトした場合は、ステップＳ６０に進む。
【００９４】
ステップＳ６０において、カウント残時間Ｔｃから１を減算する（Ｔｃ＝Ｔｃ−１）。
１を減算した後のカウント残時間Ｔｃを、時間入力枠の中に表示する。たとえば、図８（ｅ）のような表示が行われる。
ステップＳ６１において、設定入力された遅延時間Ｔが経過したか否か、すなわち、カウント残時間Ｔｃがゼロとなったか否かをチェックする。
Ｔｃ≠０の場合、ステップＳ５８へ戻り、Ｔｃ＝０となった場合、時間入力枠の表示を消去して、ステップＳ５１へ戻る。
これにより、主表示部２０における指定文字列の識別表示（下線付き表示）と、遅延時間Ｔの入力およびカウントダウンの表示が行われる。
【００９５】
以上の処理により、主表示データ７６に記憶された表示データが、たとえば、図８（ａ）〜（ｆ）に示すような順序で、主表示部２０に表示される。
【００９６】
図１１に、この発明の他の実施例における副表示データの表示制御処理の一実施例のフローチャートを示す。このフローチャートは、副制御プログラム７２によって実行される。
ステップＳ７１において、ステップＳ３１と同様に、制御部１０が、新しい表示指示の入力があったか否かをチェックする。
新しい入力があった場合、ステップＳ７２へ進む。入力がない場合、あるいは入力があったとしても前回と同じ表示指示であって変化がない場合は、ステップＳ７１をループする。
【００９７】
ステップ７２において、遅延時間Ｔが経過したか否かをチェックする。すなわち、カウント残時間Ｔｃ＝０となったか否かをチェックする。
Ｔｃ＝０でない場合、ステップＳ７２をループする。Ｔｃ＝０となった場合、設定した遅延時間Ｔが経過したので、ステップＳ７３へ進む。
【００９８】
ステップＳ７３において、表示指示によって入力された位置の指示文字列を取得する。
たとえば、指でなぞられて下線付き文字列として主表示部２０に表示されている文字列を取得する。
ステップＳ７４において、表示指示情報７５の指示内容が、「表示設定」となっているか否かをチェックする。
「表示設定」となっている場合はステップＳ７５へ進み、「非表示設定」となっている場合はステップＳ７６へ進む。
【００９９】
ステップＳ７５において、指示文字列が副表示部２１に表示されるように、記憶部７０の副表示データ７７として、取得された指示文字列の表示位置に、文字情報をそのまま設定記憶する。
ステップＳ７７において、記憶部の副表示データ７７に記憶された表示データを副表示部２１に表示する。これにより、たとえば、図８（ｆ）の主表示部２０の表示に対応させて、副表示部２１には、図９（ｆ）に示すような表示が行われる。
【０１００】
一方、ステップＳ７６において、指示文字列を非表示とするために、記憶部の副表示データ７７として、取得された指示文字列の表示位置に、スペースを示す文字情報を設定記憶する。その後、ステップＳ７７において、副表示データ７７を副表示部２１に表示する。
この場合は、たとえば、図９（ａ）に示すような表示が行われる。
ステップＳ７７の後、ステップＳ７１へ戻る。
【０１０１】
これにより、記憶部の副表示データ７７に記憶された表示データは、副表示部２１の表示画面に表示され、指示文字列は、表示指示に基づいて、表示または非表示にされる。
たとえば、図９（ａ）から（ｆ）のいずれかに示すような表示画面が、副表示部２１に表示される。
したがって、副表示部２１を利用する視聴者は、説明者が意図した表示指示に基づいた表示内容を見ることになる。
また、説明者は、図８（ａ）〜（ｆ）のように、自らが入力した表示指示に基づいて、表示内容が主表示部２０に表示されるので、主表示部２０を見ることにより、視聴者が現在どのような表示内容を見ているかを容易に確認することができる。
【符号の説明】
【０１０２】
１  表示制御装置
１０  制御部
２０  主表示部
２１  副表示部
３０  入力部
３１  キーボード
３２  マウス
３３  タッチパネル
４０  表示指示判定部
５０  表示データ生成部
５１  主表示データ生成部
５２  副表示データ生成部
７０  記憶部
７１  主制御プログラム
７２  副制御プログラム
７３  表示情報（コンテンツ）
７４  表示制御方式情報
７５  表示指示情報
７６  主表示データ
７７  副表示データ
【図１】
2014032496.tif 000003
【図２】
2014032496.tif 000004
【図３】
2014032496.tif 000005
【図４】
2014032496.tif 000006
【図５】
2014032496.tif 000007
【図６】
2014032496.tif 000008
【図７】
2014032496.tif 000009
【図８】
2014032496.tif 000010
【図９】
2014032496.tif 000011
【図１０】
2014032496.tif 000012
【図１１】
2014032496.tif 000013